(57)【要約】【課題】周波数制御の電磁誘導加熱方式定着装置において、小電力制御時に周波数が高くなり過ぎてスイッチ素子ＳＷ１、ＳＷ２のスイッチング損失が増え、効率の低下してしまうのを防ぐ。【解決手段】本発明に係る画像形成装置の定着装置においては、電力制御の制御範囲を大電力域、中電力域、小電力息に三分割し、大電力域では周波数制御を、中電力域ではデューティ制御を、小電力域では断続制御を行う。また、本発明に係る別の画像形成装置の定着装置においては、画像形成中を大電力域、中電力域に二分割し、大電力域では周波数制御を、中電力域ではデューティ制御を行い、断続制御は行わず、断続制御は待機中のみ行う。【選択図】図１
2008145990.tif 000002
【特許請求の範囲】
【請求項１】
誘導コイルと、
前記誘導コイルと電磁気的に結合した加熱用金属部材と、
前記誘導コイルの共振周波数よりも高い周波数領域の高周波電力を前記誘導コイルに印加する給電制御手段と、
入力される電力値を検出する電力検出手段と、
前記加熱用金属部材の温度を検出する温度検出手段とを備え、
前記給電制御手段は、前記温度検出手段により検出した温度が目標温度に達するように、前記電力検出手段で検出された電力値が、第１の基準値よりも大きければ前記高周波電力の周波数を制御し、前記第１の基準値以下で第２の基準値よりも大きければ前記高周波電力のデューティ比を制御し、前記第２の基準値よりも小さければ前記高周波電力の断続を制御することを特徴とする加熱装置。
【請求項２】
前記給電制御手段は、前記誘導コイルに印加している高周波電力が基準周波数未満であればその周波数を制御し、前記基準周波数以上が必要な場合には、周波数を前記基準周波数としてデューティ比を制御し、前記基準周波数以上でかつ基準値以上のデューティ比が必要な場合には前記高周波電力の断続を制御することを特徴とする請求項１に記載の加熱装置。
【請求項３】
熱溶融性の記録材を印刷媒体上に転写して画像を形成する画像形成手段と、
請求項１又は２に記載の加熱装置を有し、前記印刷媒体を加熱して記録材を印刷媒体に定着させる定着手段と
を備えることを特徴とする画像形成装置。
【請求項４】
前記電力制御手段は、前記定着手段が稼働状態にある場合には、前記高周波電力の周波数またはデューティ比を制御し、前記定着手段が待機状態にある場合には、前記高周波電力の断続を制御することを特徴とする請求項３に記載の画像形成装置。
【発明の詳細な説明】
【技術分野】
【０００１】
本発明は、例えば画像形成装置の定着器等として用いられる加熱装置及びそれを用いた画像形成装置に関する。
【背景技術】
【０００２】
一般に画像形成装置には、記録材に転写されたトナー像を定着させるための定着部が備えられている。定着部としては、近年では電磁誘導加熱方式が用いられるようになってきた。
【０００３】
電磁誘導加熱方式を用いた定着部は、加熱用の金属部材と、その金属部材と電磁気的に結合した誘導コイルと、その誘導コイルに高周波で電力を供給する電源部とから構成される。電源部は定着部の温度を検出し、その温度が目標温度に達するように、誘導コイルに供給する電力の周波数（これを駆動周波数と呼ぶ）を制御する(例えば特許文献１等参照) 。電源部は誘導コイルと合わせて共振周波数を有しており、その共振周波数ｆ１において、誘導コイルへの供給電力がピークになる。駆動周波数ｆと電力ＰＷの関係を図１２に示す。共振周波数ｆ１で最大電力ＰＷ１を示し、共振周波数ｆ１を中心として高周波側及び低周波側では電力が減少するカーブを描く。そこで、このカーブの共振周波数ｆ１よりも高周波側（図１２のfhの領域）のスロープを用いて、駆動周波数ｆを制御している。すなわち、出力電力が上がりすぎれば、駆動周波数を上げる。逆に出力電力が不足していれば、駆動周波数を下げる。
【０００４】
電源部による電力制御時の簡単な周波数制御方法を図１０のフローチャートに示す。この制御方法では、電源部には、誘導コイルに印加される電流及び電圧が検出されて入力されている。そしてこれらの値から、現在電源部から出力されて出力電力ＰＷが得られている。電源部は現在電源部から出力されて出力電力ＰＷと目標電力ＰＷｏとを比較し、ＰＷ＞ＰＷｏの場合は、現在の周波数ｆをある所定の値ｆａだけ上げる。一方、ＰＷ＜ＰＷｏの場合は、現在の周波数ｆをある所定の値ｆｂだけ下げる。ＰＷ＝ＰＷｏの場合は周波数を変化させない。
【０００５】
図１１は定着部の温度制御時の簡単な周波数制御方法である。この制御方法では、電源部には、検出された定着部の温度Ｔが入力されている。電源部は、検出温度Ｔと目標温度Ｔｏを比較し、Ｔ＞Ｔｏの場合は周波数ｆをある所定の値ｆａだけ上げる。Ｔ＜Ｔｏの場合は、周波数ｆをある所定の値ｆｂだけ下げる。Ｔ＝Ｔｏの場合は周波数を変化させないというものである。
【特許文献１】特開２０００−２２３２５３号公報
【発明の開示】
【発明が解決しようとする課題】
【０００６】
しかしながら、従来の周波数制御方式においては、電力を低くするためには周波数を高くすることになり、周波数が高くなり過ぎるとスイッチ素子ＳＷ１、ＳＷ２のスイッチング損失が増え、効率の低下につながってしまう。
【０００７】
本発明は上記従来例に鑑みて成されたもので、低電力時においても周波数を一定値以上に上げないように制御することで、スイッチング損失を減らして効率を向上させた加熱装置及びそれを用いた画像形成装置を提供することを目的とする。
【課題を解決するための手段】
【０００８】
上記目的を達成するために本発明は以下の構成を備える。すなわち、
誘導コイルと、
前記誘導コイルと電磁気的に結合した加熱用金属部材と、
前記誘導コイルの共振周波数よりも高い周波数領域の高周波電力を前記誘導コイルに印加する給電制御手段と、
入力される電力値を検出する電力検出手段と、
前記加熱用金属部材の温度を検出する温度検出手段とを備え、
前記給電制御手段は、前記温度検出手段により検出した温度が目標温度に達するように、前記電力検出手段で検出された電力値が、第１の基準値よりも大きければ前記高周波電力の周波数を制御し、前記第１の基準値以下で第２の基準値よりも大きければ前記高周波電力のデューティ比を制御し、前記第２の基準値よりも小さければ前記高周波電力の断続を制御する。
【発明の効果】
【０００９】
本発明によれば、スイッチ素子のスイッチング損失を低減することができる。また、断続制御を画像形成装置の待機中に限定することで、画像形成中の定着部の温度リップル増加による画質低下を防ぐことが可能となる。
【発明を実施するための最良の形態】
【００１０】
［第１実施形態］
本発明の第１の実施例であるカラー画像を得る画像形成装置としては、図７に示すような概略構成のものがある。図７の装置は電子写真プロセスのタンデム型カラー画像形成装置である。
【００１１】
同図において、１ａ〜１ｄは感光体、２ａ〜２ｄは１次帯電部、３ａ〜３ｄは露光部、４ａ〜４ｄは現像部、５３ａ〜５３ｄは１次転写部、６ａ〜６ｄはクリーナー、５１は中間転写ベルト、５５は中間転写ベルトクリーナー、５６、５７は２次転写部である。１次帯電部によって感光体が一様に帯電された後、画像信号に応じた露光が露光部によってなされることにより、感光体上に静電潜像が形成される。その後、現像部によってトナー像が現像され、４個の感光体上のトナー像は転写部によって中間転写ベルトに多重転写され、更に２次転写部によって記録材Ｐに転写される。感光体上に残った転写残トナーはクリーナーによって、中間転写ベルトに残った転写残トナーは中間転写ベルトクリーナー５５によって回収される。記録材Ｐに転写されたトナー像は定着部７によって定着されることにより、カラー画像を得る。
【００１２】
図８は電磁誘導加熱方式を用いた定着部の一例である。図中、７ＦＢ１、７ＦＢ２はベルト状の導電性発熱体であり、ローラ７Ｒ１、７Ｒ２、７Ｒ３、７Ｒ４を軸に図中矢印の方向に回転している。また、導電性発熱体７ＦＢ１に対向してコイルＬが配置され、コイルＬに交流電流を流して磁場を発生させることで、導電性発熱体７ＦＢ１が自己発熱する。
【００１３】
誘導加熱方式を用いた定着部７に給電する電源装置としては、図９に示す構成の電源装置３００がある。電源装置３００は、ダイオードブリッジ３０１と、フィルタコンデンサ３０２と、コンデンサ３０５、３０６と、コイルＬと、第１、第２のスイッチ素子３０３、３０４と、駆動部３１２と、制御部３１３と、電力検出部３１１と、温度検出部３１４とを備える。コンデンサ３０５、３０６は、コイルＬとともに共振回路を形成する共振コンデンサである。駆動部３１２は、２つのスイッチ素子３０３、３０４を駆動信号３２１、３２２でそれぞれ駆動する。電力検出部３１１は、電源装置３００の入力電力を検出する。温度検出部３１４は、金属製などの導電性発熱体であるＦＢの温度を検出する。
【００１４】
制御部３１３は電力検出部３１１の検出結果及び温度検出部３１４の検出結果によって、駆動部３１２が出力する駆動信号３２１、３２２の駆動周波数を決定する。駆動部３１２は制御部３１３により与えられたパラメータに従って駆動信号３２１，３２２を排他的に出力する。スイッチ素子３０３と３０４は駆動信号３２１、３２２に従っていずれか一方がオン／オフする。駆動信号３２１，３２２は排他的にオンとなるので、コイルＬにはその切り替え周波数に応じた高周波電流が供給される。
【００１５】
図８の定着器の制御フローチャートを図１に示す。図１の制御手順は、制御部３１３によって実行される。制御部３１３は、温度検出部から発熱体ＦＢの温度値Ｔを読み込み、読み込んだ検出温度Ｔと目標温度Ｔｏとを比較する（Ｓ１００１）。目標温度Ｔｏは、画像形成に用いるトナーの性質などによって予め決められている。Ｔ≧Ｔｏの場合は、供給電力を所定値ＰＷｂだけ減少するように、駆動周波数ｆを一定値上げる。そのため、ステップＳ１０１０において、現在の電力ＰＷから所定の値ＰＷｂだけ減少させた値をメモリ等にＰＷ’として保存する。
【００１６】
ステップＳ１００１でＴ≧Ｔｏでなかったなら、Ｔ＜Ｔｏであるか判定する（Ｓ１００２）。Ｔ＜Ｔｏであった場合は、供給電力Ｐｗをある所定の値ＰＷａだけ増加するように周波数を下げる。そのため、ステップＳ１００４において、現在の電力ＰＷに所定の値ＰＷａだけ増加させた値、すなわち変更後の電力値を、メモリ等にＰＷ’として保存する。またＴ＝Ｔｏの場合は、供給電力を変化させない。そこでそのままステップＳ１００１に分岐する。
【００１７】
さて本実施形態では、コイルＬに供給される最大電力をＰＷ１とし、最大電力ＰＷ１と最小電力との間を、さらに２つの閾値（基準値）ＰＷ２、ＰＷ３（ＰＷ２＞ＰＷ３）で区切る。そして、供給電力ＰＷを、ＰＷ３未満の第三の電力範囲、ＰＷ３以上ＰＷ２未満の第二の電力範囲、ＰＷ２以上ＰＷ１以下の第一の電力範囲の三領域に分割する。基準電力ＰＷ１，ＰＷ２，ＰＷ３はそれぞれ予め決められている。決め方は、たとえばＰＷ２は、電力ＰＷ２に相当する周波数ｆ２でスイッチング素子３０４，３０４を駆動しても、スイッチングによる大きな損失生じない程度の周波数に決められる（図３参照）。また、ＰＷ３は、画像形成装置が待機モードにあって定着器の温度も待機温度となるような電力に決められる。
【００１８】
そして、ステップＳ１００４またはステップＳ１０１０で保存した、供給する電力値ＰＷ’と第２の基準値ＰＷ２とを比較する（Ｓ１００５）。ＰＷ’＞ＰＷ２であれば、すなわち第１の電力範囲の電力を供給する場合は、図３で示すような周波数と電力の関係を利用してＰＷ２〜ＰＷ１の領域（周波数でいうとｆ１〜ｆ２の領域）で周波数制御を行う（Ｓ１００６）。駆動周波数を上げれば電力は下降し、駆動周波数を下げれば電力は上昇する。何れの制御とするかは、供給しようとする電力値ＰＷ’と現在値ＰＷとを比較して決定できる。ＰＷ’の方が大きければ駆動周波数を下げて電力を増大させるし、逆なら駆動周波数を上げて電力を減少させる。
【００１９】
ＰＷ’＞ＰＷ２でなければ、供給しようとする電力値ＰＷ’と第３の基準値ＰＷ３とを比較する（Ｓ１００７）。その結果ＰＷ’＞ＰＷ３でなければ、すなわち供給する電力ＰＷ’が第２の電力範囲にあれば、ステップＳ１００８に移行する。ステップＳ１００８では、図４で示すようなデューティと電力との関係を利用して、ＰＷ３〜ＰＷ２の領域（デューティで言うとデューティ３〜デューティ２の領域）でデューティ制御（パルス幅制御）を行う。このとき、駆動周波数は所定の周波数ｆ２に固定される。また図４の関係は、たとえば離散的ないくつかのデューティの値と対応する電力値とを制御部に保存し、その間は補間して用いればよい。また、デューティを大きくすれば電力は増大し、小さくすれば減少する。したがって、ＰＷ’＞ＰＷならデューティを大きくし、逆ならデューティを小さくする。
【００２０】
またステップＳ１００７における判定の結果、ＰＷ’＞ＰＷ３であれば、供給する電力は第三の電力範囲にある。この場合には、たとえば第二の電力範囲における最低電力（すなわちＰＷ３）における駆動周波数とデューティとがそのまま用いられる。そしてその状態で駆動信号を出力する動作状態と、駆動信号を２つとも同時にオフする停止状態とを繰り返す断続制御を行う（Ｓ１００９）。ＰＷ’＜ＰＷであれば、切断状態にある期間を所定時間長くし、逆であれば切断状態にある時間を所定時間短縮する。
【００２１】
上記制御方法の各電力範囲における駆動パルス３２１、３２２の波形を図２に示す。（ａ）は第一の電力範囲で行う周波数制御であり、電力を小さくするに従って、駆動周波数が高くなっている。更に電力を小さくし、第二の電力領域になると、（ｂ）のデューティ制御のように駆動パルスのデューティを絞り、更に電力を小さくする。第三の電力領域になると、（ｃ）の断続制御における破線で示している部分を一時停止させ、断続的な駆動を行う。
【００２２】
以上説明したように、大電力域では周波数制御を、中電力域ではデューティ制御を、小電力域では断続制御を行うことでスイッチ素子のスイッチング損失を低減することが可能になる。
【００２３】
［第２実施形態］
本発明の第２の実施形態であるカラー画像形成装置及び電源装置は、第１の実施形態と同様、図７〜図９に示す構成を持つ。しかし、定着器を制御する制御部３１３による制御手順が第１実施形態と相違する。その制御フローチャートを図５に示す。
【００２４】
図５において、制御部３１３は、温度検出部３１４から発熱体ＦＢの温度値Ｔを読み込み、読み込んだ検出温度Ｔと目標温度Ｔｏとを比較する（Ｓ１００１）。目標温度Ｔｏは、画像形成に用いるトナーの性質などによって予め決められている。Ｔ≧Ｔｏの場合は、供給電力をある所定のＰＷｂだけ減少するように、駆動周波数ｆを一定値上げる。そのため、ステップＳ１０１０において、現在の電力ＰＷから所定の値ＰＷｂだけ減少させた値をメモリ等にＰＷ’として保存する。
【００２５】
ステップＳ１００１でＴ≧Ｔｏでなかったなら、Ｔ＜Ｔｏであるか判定する（Ｓ１００２）。Ｔ＜Ｔｏであった場合は、供給電力Ｐｗをある所定の値ＰＷａだけ増加するように周波数を下げる。そのため、ステップＳ１００４において、現在の電力ＰＷに所定の値ＰＷａだけ増加させた値、すなわち変更後の電力値を、メモリ等にＰＷ’として保存する。またＴ＝Ｔｏの場合は、供給電力を変化させない。そこでそのままステップＳ１００１に分岐する。
【００２６】
さて本実施形態では、供給される最大電力をＰＷ１とし、最大電力ＰＷ１と最小電力との間を、さらに２つの閾値（基準値）ＰＷ２、ＰＷ３（ＰＷ２＞ＰＷ３）で区切る。そして、供給電力ＰＷを、ＰＷ３未満の第三の電力範囲、ＰＷ３以上ＰＷ２未満の第二の電力範囲、ＰＷ２以上ＰＷ１以下の第一の電力範囲の三領域に分割する。基準電力ＰＷ１，ＰＷ２，ＰＷ３はそれぞれ予め決められている。決め方は、たとえばＰＷ２は、電力ＰＷ２に相当する周波数ｆ２でスイッチング素子３０４，３０４を駆動しても、スイッチングによる大きな損失生じない程度の周波数に決められる（図３参照）。また、ＰＷ３は、画像形成装置が待機モードにあって定着器の温度も待機温度となるような電力に決められる。なお、待機モードとは、像形成終了後所定時間像形成が開始されない場合に、画像形成装置の消費電力を低減させるために、定着器の目標温度をそれ以前よりも低くした状態を言う。
【００２７】
そして、ステップＳ１００４またはステップＳ１０１０で保存した、供給する電力値ＰＷ’と第２の基準値ＰＷ２とを比較する（Ｓ１００５）。ＰＷ’＞ＰＷ２であれば、すなわち第１の電力範囲の電力を供給する場合は、図３で示すような周波数と電力の関係を利用してＰＷ２〜ＰＷ１の領域（周波数でいうとｆ１〜ｆ２の領域）で周波数制御を行う（Ｓ１００６）。駆動周波数を上げれば電力は下降し、駆動周波数を下げれば電力は上昇する。何れの制御とするかは、供給しようとする電力値ＰＷ’と現在値ＰＷとを比較して決定できる。ＰＷ’の方が大きければ駆動周波数を下げて電力を増大させるし、逆なら駆動周波数を上げて電力を減少させる。
【００２８】
ＰＷ’＞ＰＷ２でなければ、供給しようとする電力値ＰＷ’と第３の基準値ＰＷ３とを比較する（Ｓ１００７）。その結果ＰＷ’＞ＰＷ３でなければ、すなわち供給する電力ＰＷ’が第２の電力範囲にあれば、ステップＳ１００８に移行する。ステップＳ１００８では、図４で示すようなデューティと電力との関係を利用して、ＰＷ３〜ＰＷ２の領域（デューティで言うとデューティ３〜デューティ２の領域）でデューティ制御（パルス幅制御）を行う。このとき、駆動周波数は所定の周波数ｆ２に固定される。また図４の関係は、たとえば離散的ないくつかのデューティの値と対応する電力値とを制御部に保存し、その間は補間して用いればよい。また、デューティを大きくすれば電力は増大し、小さくすれば減少する。したがって、ＰＷ’＞ＰＷならデューティを大きくし、逆ならデューティを小さくする。
【００２９】
またステップＳ１００７における判定の結果、ＰＷ’＞ＰＷ３であれば、供給する電力は第三の電力範囲にある。この場合には、第１実施形態と異なり、画像形成装置が待機中であるか判定する（Ｓ５００１）。待機中であれば、Ｓ１００９の断続制御を行う。ここではたとえば第二の電力範囲における最低電力（すなわちＰＷ３）における駆動周波数とデューティとがそのまま用いられる。そしてその状態で駆動信号を出力する動作状態と、駆動信号を２つとも同時にオフする停止状態とを繰り返す断続制御を行う。ＰＷ’＜ＰＷであれば、切断状態にある期間を所定時間長くし、逆であれば切断状態にある時間を所定時間短縮する。
【００３０】
ステップＳ５００１で、待機中ではないと判定されれば、供給する電力は第三の電力範囲にもかかわらず、Ｓ１００８におけるデューティ制御を行う。この場合には、第二の電力範囲における最低電力（すなわちＰＷ３）における駆動周波数で、デューティのみを、供給する電力ＰＷ’が得られる程度に小さくする。
【００３１】
以上説明したように、大電力域では周波数制御を、中電力域ではデューティ制御を、小電力域では断続制御を行うことでスイッチ素子のスイッチング損失を低減しつつ、断続制御を待機中のみに限定する。こうすることで、画像形成中の定着部の温度リップルが増加するのを防ぐことが可能となる。
【００３２】
［第３実施形態］
本発明の第３の実施形態であるカラー画像形成装置及び電源装置は、第１及び第２の実施形態と同様の構成を有する。本発明の第３の実施形態である画像形成装置の電磁誘導加熱方式を用いた定着器の制御フローチャートを図６に示す。この手順は制御部３１３により実行される。
【００３３】
同制御方法は、まず現在の制御モードが周波数制御かデューティ制御か断続制御かを判断する（Ｓ６００１，Ｓ６００２）。そのために、制御方法が決定されたなら、その制御方法を示す情報が、現在の制御モードを示す情報として保存される。次に現在温度Ｔと目標温度Ｔｏを比較する（Ｓ６００３）。周波数制御の場合、Ｔ＞Ｔｏであれば現在の駆動周波数ｆをある所定のｆｂだけ増加し（Ｓ６０１１）、Ｔ＜Ｔｏの場合は周波数をある所定のｆａだけ減少させる（Ｓ６００６）。Ｔ＝Ｔｏの場合は周波数を変化させない。ここで、駆動周波数ｆがある所定の周波数ｆ２より高くなった場合は、駆動周波数をｆ２とし、デューティ制御モードに移行する。周波数制御の場合には、駆動周波数が、ステップＳ６０１１あるいはＳ６００６で求めた変更後の駆動周波数ｆとなるように駆動部を制御する（Ｓ６００８）。
【００３４】
また、Ｓ６００２において、現在の制御モードがデューティ制御の場合、現在温度と目標温度Ｔｏとを比較する（６０１２）。Ｔ＞Ｔｏであれば現在のデューティを示すｄｕｔｙをある所定のｄｕｔｙｂだけ減少し（Ｓ６０１５）、Ｔ＜Ｔｏの場合はｄｕｔｙをある所定のｄｕｔｙａだけ増加する（Ｓ６０２１）。Ｔ＝Ｔｏの場合はデューティを変化させない。ここで、変化後のデューティがある所定のｄｕｔｙ２より大きくなった場合は、周波数制御モードに移行し、ｄｕｔｙ３より小さくなった場合は、断続制御モードに移行する。ｄｕｔｙ２以上でｄｕｔｙ３以下の場合には、デューティ制御を行う（Ｓ６０１９）。このときには、駆動信号のデューティがステップＳ６０１５，Ｓ６０２１で求めたｄｕｔｙとなるように駆動部が制御される。
【００３５】
現在の制御モードが断続制御の場合、現在温度と目標温度Ｔｏとを比較する（６０２２）。Ｔ＞Ｔｏであれば駆動を停止する（Ｓ６０２８）。このとき駆動停止状態にあることを示す情報を例えばメモリなどに保存する。Ｔ＜Ｔｏであれば、温度が上昇しているか否かを判定する（Ｓ６０２３）。温度が上昇していなければ、現在駆動停止状態であるか判定する（Ｓ６０２４）。温度上昇していた場合、もしくは温度上昇していなくても駆動停止状態だった場合は駆動を行う（Ｓ６０２６）。Ｔ＜Ｔｏで且つ駆動しているにもかかわらず温度上昇していない場合はデューティ制御に移行する（Ｓ６０２５）。
【００３６】
以上説明したように、低周波域では周波数制御を、中周波域ではデューティ制御を、中周波域でもデューティが小さくなった場合は断続制御を行うことでスイッチ素子のスイッチング損失を低減することが可能となる。
【００３７】
本実施形態では、現在のモードが周波数制御の場合には周波数に応じて制御方法を決定し、デューティ制御の場合にはディーティ比に応じて制御方法を決定する。また、断続制御においては、駆動信号を出力したままの状態でも、目標温度に達しない場合にはデューティ制御に切り替えている。このため、電源部への入力電力を監視すること無く、制御方法を切り替えることが可能となった。
【図面の簡単な説明】
【００３８】
【図１】本発明の第１の実施形態の定着器の制御フローチャートを示す図である。
【図２】本発明の実施形態の各制御の駆動パターンを示す図である。
【図３】駆動周波数と電力の関係を示す図である。
【図４】駆動デューティと電力の関係を示す図である。
【図５】本発明の第２の実施形態の定着器の制御フローチャートを示す図である。
【図６】本発明の第３の実施形態の定着器の制御フローチャートを示す図である。
【図７】タンデム型カラー画像形成装置の概略構成図である。
【図８】電磁誘導加熱方式の定着器の一例を示す概略構成図である。
【図９】電磁誘導加熱方式の定着器の電源装置の一例を示す概略構成図である。
【図１０】周波数制御による電力制御フローチャートである。
【図１１】周波数制御による温度制御フローチャートである。
【図１２】駆動周波数と電力の関係を示す図である。
【符号の説明】
【００３９】
１ａ，１ｂ，１ｃ，１ｄ：感光体
２ａ，２ｂ，２ｃ，２ｄ：帯電部
３ａ，３ｂ，３ｃ，３ｄ：露光部
４ａ，４ｂ，４ｃ，４ｄ：現像装置
６ａ，６ｂ，６ｃ，６ｄ：クリーナー
７：定着部
８ａ，８ｂ，８ｃ，８ｄ：表面電位検知部
５１：中間転写ベルト
５３ａ，５３ｂ，５３ｃ，５３ｄ：転写ローラ
５５：中間転写ベルトクリーナー
５６，５７：２次転写ローラ
Ｐ：転写紙
７ＦＢ１，７ＦＢ２，ＦＢ：導電性発熱体（定着ベルト）
７Ｒ１，７Ｒ２，７Ｒ３，７Ｒ４：定着ベルト駆動ローラ
７Ｒ１１，７Ｒ１２：定着ローラ
Ｌ：コイル
５００：ＡＣ電源電圧
３０１：ダイオードブリッジ
３０２：フィルタコンデンサ
３０５，３０６：共振コンデンサ
３０３，３０４：スイッチ素子
３２１，３２２：駆動パルス
３１１：電力検出部
３１３：制御部
３１４：温度検出部
３１２：駆動部
【図１】
2008145990.tif 000003
【図２】
2008145990.tif 000004
【図３】
2008145990.tif 000005
【図４】
2008145990.tif 000006
【図５】
2008145990.tif 000007
【図６】
2008145990.tif 000008
【図７】
2008145990.tif 000009
【図８】
2008145990.tif 000010
【図９】
2008145990.tif 000011
【図１０】
2008145990.tif 000012
【図１１】
2008145990.tif 000013
【図１２】
2008145990.tif 000014